(57)【要約】  本発明の送液装置では、液体の供給口と排出口とをつなぐ液体流路の、供給口に挿入される開口部を有して液体流路に供給する液体が貯留されるピペットチップを、開口部が供給口に挿入されるように制御する。このとき、開口部が供給口に挿入される前に、開口部から空気を吸引して開口部に空気層を形成するようにピペットチップの液体及び気体の吸引、吐出を制御する。
2008123022.tif 000002
【特許請求の範囲】
【請求項１】
液体を供給する供給口と液体を排出する排出口とをつなぐ液体流路に送液する送液装置であって、
前記供給口に挿入される開口部を有し、前記液体流路に供給する第一の液体が貯留される供給管と、
前記供給管の液体及び気体の吸引、吐出を行なうためのポンプと、
前記供給管を移動させる移動部と、
前記開口部が前記供給口に挿入されるように前記移動部を制御すると共に、前記開口部が前記供給口に挿入される前に、前記供給管の前記開口部から空気を吸引して前記開口部に空気層を形成するように前記ポンプを制御する制御部と、
を備えた送液装置。
【請求項２】
前記制御部が、前記液体流路に界面活性剤を送液することにより、前記液体流路の内壁を親水性にするよう送液装置を制御する、請求項１記載の送液装置。
【請求項３】
前記空気層が、前記供給管から第一の液体が、第二の液体で満たされた前記液体流路に送液されたときに、前記液体流路内において第一及び第二の液体を分離できる量の空気からなる、請求項１記載の送液装置。
【請求項４】
液体を供給する供給口と液体を排出する排出口とをつなぐ液体流路の供給口に挿入される開口部を有して前記液体流路に供給する第一の液体が貯留される供給管を、前記開口部が前記供給口に挿入されるように制御し、
前記開口部が前記供給口に挿入される前に、前記供給管の前記開口部から空気を吸引して前記開口部に空気層を形成するように前記供給管の液体及び気体の吸引、吐出を行なうように制御することを含む、送液制御方法。
【請求項５】
前記液体流路に界面活性剤を送液することにより、前記液体流路の内壁を親水性にすることをさらに含む、請求項４記載の送液制御方法。
【請求項６】
前記空気層が、前記供給管から第一の液体が、第二の液体で満たされた前記液体流路に送液されたときに、前記液体流路内において第一及び第二の液体を分離できる量の空気からなる、請求項４記載の送液制御方法。
【発明の詳細な説明】
【技術分野】
【０００１】
本発明は、主として測定対象の検体物質と生理活性物質の間の相互作用を測定する測定装置に用いられる送液装置及び送液制御方法に関する。
【背景技術】
【０００２】
生理活性物質の有する反応性基に結合する官能基を備えた検体物質を、その多種の候補の中から選択することは従来から行われている。生理活性物質としては特定のタンパク質等が挙げられ、このような特定の生理活性物質に結合する核酸やその誘導体等の検体物質は、主に医療分野などへの利用が期待されている。【０００３】
生理活性物質に結合する検体物質を選択するための方法としては、生理活性物質と検体物質との相互作用を評価する様々な方法が用いられている。この評価方法としては、標識が不要であることと感度の高さとから近接場光を利用する方法が知られており、近接場光を利用した上記相互作用測定の一例には、表面プラズモン共鳴を利用した方法がある。【０００４】
一般的に、表面プラズモン共鳴を利用した生理活性物質と検体物質との相互作用測定においては、プリズムの一面に配置され生理活性物質の固定された固定化膜からなる測定領域に対して、測定対象の検体物質を有機溶媒に溶解した検体溶液を供給するとともに、レーザ光を、固定化膜と生理活性物質との界面で全反射条件が得られるように種々の角度で固定化膜へ照射し、この界面で全反射した光の屈折率を検出した検出結果に基づいて、生理活性物質と検体物質との相互作用を測定している。【０００５】
また、より正確な情報を得るために、生理活性物質の固定された測定領域と、生理活性物質の固定されていない参照領域と、を設けて、参照領域から得られた信号情報によって、測定領域から得られた信号情報を補正することにより、検体物質と生理活性物質との相互作用を示す方法が用いられる場合がある。【０００６】
近年、上記プリズムに形成された固定化膜の表面に多数の配管を構成し、上述した測定領域や参照領域を各配管内に設け、一度に多くの物質間の相互作用を測定できるようにした装置が提案されている。【０００７】
しかしながら、液体を配管内に注入する際に、微細な空気が混入し、配管内壁に空気泡が付着する場合がある。上述した表面プラズモン共鳴を利用する測定においては、配管内壁に付着した空気泡が測定誤差の原因となる。【０００８】
従来、配管内に混入した空気を除去するために、充填液を加圧・減圧することにより充填された液体に混入した気体を除去する機構を設けることが提案されている（例えば、特開平７−１１０３３４号公報参照）。【０００９】
また、気泡の発生を低減させるべく、液体の液面に接する接液空間の気体をヘリウムガス等で置換することが提案されている（例えば、特開２００４−３６１２６７公報参照。）。
【発明の開示】
【発明が解決しようとする課題】
【００１０】
本発明は上記事実を考慮してなされたものであり、液体流路の内壁に付着した空気を除去することができる送液装置及び送液制御方法を提供する。
【課題を解決するための手段】
【００１１】
本発明の第一の態様は、液体を供給する供給口と液体を排出する排出口とをつなぐ液体流路に送液する送液装置であって、前記供給口に挿入される開口部を有し、前記液体流路に供給する液体が貯留される供給管と、前記供給管の液体及び気体の吸引、吐出を行なうためのポンプと、前記供給管を移動させる移動部と、前記開口部が前記供給口に挿入されるように前記移動部を制御すると共に、前記開口部が前記供給口に挿入される前に、前記供給管の前記開口部から空気を吸引して前記開口部に空気層を形成するように前記ポンプを制御する制御部と、を備えている。【００１２】
第一の態様によれば、供給管の開口部に空気層を形成してから供給口に開口部を挿入することにより、液体が送液される前に空気層が液体流路に送り込まれる。そのため、液体流路の内壁に付着した空気を除去することができる。【００１３】
第一の態様において、前記液体流路に界面活性剤を送液することにより、前記液体流路の内壁を親水性にしてもよい。これにより、気泡が液体流路の内壁に付着し難くなる。【００１４】
本発明の第二の態様は、送液制御方法であって、液体を供給する供給口と液体を排出する排出口とをつなぐ液体流路の供給口に挿入される開口部を有して前記液体流路に供給する液体が貯留される供給管を、前記開口部が前記供給口に挿入されるように制御し、前記開口部が前記供給口に挿入される前に、前記供給管の前記開口部から空気を吸引して当該開口部に空気層を形成するように前記供給管の液体及び気体の吸引、吐出を行なうように制御することを含む。【００１５】
第二の態様によれば、供給管の開口部に空気層を形成してから供給口に開口部を挿入することにより、液体が送液される前に空気層が液体流路に送り込まれる。そのため、液体流路の内壁に付着した空気を除去することができる。
【発明の効果】
【００１６】
本発明の送液方法及び送液装置によれば、供給管の開口部に空気層を形成してから供給口に開口部を挿入する。そのため、液体流路の内壁に付着した空気を除去することができる。
【図面の簡単な説明】
【００１７】
【図１】本発明に係る実施形態のバイオセンサーの内部の斜視図である。
【図２】本実施形態のバイオセンサーの内部の上面図である。
【図３】本実施形態のバイオセンサーの内部の側面図である。
【図４】本実施形態の測定スティックの斜視図である。
【図５】本実施形態の測定スティックの分解斜視図である。
【図６】本実施形態の測定スティックの測定領域及び参照領域へ照射光が入射している状態を示す模式図である。
【図７】本実施形態の測定スティックの１の流路部材を下側からみた図である。
【図８】本実施形態のバイオセンサーの分注ヘッドの鉛直駆動機構を示す斜視図である。
【図９】本実施形態のバイオセンサーの液体吸排部の概略構成図である。
【図１０】本実施形態のバイオセンサーの光学測定部付近の構成とバイオセンサーの電気的構成を示す概略図である。
【図１１】液体流路内に混入した空気が気泡となって液体流路の内壁に付着した状態の一例を示す液体流路の断面図である。
【図１２】本実施形態の液体流路にピペットチップを挿入する際の液体流路及びピペットチップの内部の状態を示す断面図である。
【図１３】本実施形態の液体流路に空気層を送る際の液体流路及びピペットチップの内部の状態を示す断面図である。
【図１４】本実施形態の液体流路に空気層を送る際の液体流路及びピペットチップの内部の状態を示す断面図である。
【図１５】本実施形態の液体流路において液置換がなされたときの液体流路及びピペットチップの内部の状態を示す断面図である。
【図１６】本実施形態の液置換処理の流れを示すフローチャートである。
【発明を実施するための最良の形態】
【００１８】
以下、図面を参照しながら本発明の実施形態について説明する。【００１９】
本発明に係る送液装置としてのバイオセンサー１０は、金属膜の表面に発生する表面プラズモン共鳴を利用して、タンパクＴａと試料Ａとの相互作用を測定する、いわゆる表面プラズモンセンサーである。本発明に係る測定スティック上にタンパクＴａを固定し、このタンパクＴａへ試料Ａを供給して信号変化を検出することにより、相互作用を測定する。【００２０】
図１〜図３に示すように、バイオセンサー１０は、分注ヘッド２０、測定部３０、試料ストック部４０、ピペットチップストック部４２、バッファストック部４４、冷蔵部４６、測定スティックストック部４８及びラジエータ６０を備えている。【００２１】
ラジエータ６０は、金属製の薄板が積層されて内部に流路が構成されており、流路に温調水を流して、温調水と筐体内の空気との熱交換を行っている。ラジエータ６０には、ラジエータ送風ファン６２が設けられている。ラジエータ送風ファン６２により、ラジエータ６０で熱交換された空気が、筐体内部へ送り込まれる。ラジエータ６０には、循環ホース６６が連結されている。これにより、筐体内部の温度が調整される。【００２２】
試料ストック部４０は、試料積層部４０Ａ及び試料セット部４０Ｂで構成されている。試料積層部４０Ａには、個々のセルに各々異なるアナライト溶液をストックする試料プレート４０Ｐが、Ｚ方向に積層されて収容されている。試料セット部４０Ｂには、１枚の試料プレート４０Ｐが、図示しない搬送機構により試料積層部４０Ａから搬送されてセットされる。【００２３】
ピペットチップストック部４２は、ピペットチップ積層部４２Ａ及びピペットチップセット部４２Ｂで構成されている。ピペットチップ積層部４２Ａには、複数のピペットチップを保持するピペットチップストッカー４２Ｐが、Ｚ方向（鉛直方向）に積層されて収容されている。ピペットチップセット部４２Ｂには、１枚のピペットチップストッカー４２Ｐが、図示しない搬送機構によりピペットチップ積層部４２Ａから搬送されてセットされる。【００２４】
バッファストック部４４は、ボトル収容部４４Ａ及びバッファ供給部４４Ｂで構成されている。ボトル収容部４４Ａには、バッファ液が貯留された複数本のボトル４４Ｃが収容されている。バッファ供給部４４Ｂには、バッファプレート４４Ｐがセットされている。バッファプレート４４Ｐは、複数筋に区画されており、各々の区画には濃度の異なるバッファ液が貯留されている。また、バッファプレート４４Ｐの上部には、分注ヘッド２０のアクセス時にピペットチップＣＰが挿入される孔Ｈが構成されている。バッファプレート４４Ｐへは、ホース４４Ｈによりボトル４４Ｃからバッファ液が供給される。【００２５】
バッファ供給部４４Ｂの隣には、補正用プレート４５が配置され、その隣に冷蔵部４６が配置されている。補正用プレート４５は、バッファ液の濃度調整を行うためのプレートであり、マトリクス状に複数セルが構成されている。冷蔵部４６には、冷蔵の必要な試料が配置される。冷蔵部は低温とされており、この上で試料は低温状態に保たれる。【００２６】
測定スティックストック部４８には、測定スティック収容プレート４８Ｐがセットされている。測定スティック収容プレート４８Ｐには、測定チップとしての測定スティック５０が複数本収納されている。【００２７】
測定スティックストック部４８と測定部３０との間には、測定スティック搬送機構４９が備えられている。測定スティック搬送機構４９は、測定スティック５０を両側から挟み込んで保持する保持アーム４９Ａ、回転により保持アーム４９ＡをＹ方向に移動させるボールねじ４９Ｂ、Ｙ方向に配置され、測定スティック５０が載せられる搬送用レール４９Ｃ、を含んで構成されている。測定の際には、１本の測定スティック５０が測定スティック搬送機構４９により測定スティック収容プレート４８Ｐから搬送用レール４９Ｃ上に載せられ、保持アーム４９Ａにより挟持されつつ測定部３０へ移動してセットされる。【００２８】
測定スティック５０は、図４及び図５に示すように、誘電体ブロック５２、流路部材５４、及び、保持部材５６、で構成されている。【００２９】
誘電体ブロック５２は、光ビームに対して透明な透明樹脂等で構成されており、断面が台形の棒状とされたプリズム部５２Ａ、及び、プリズム部５２Ａの両端部にプリズム部５２Ａと一体的に形成された被保持部５２Ｂを備えている。【００３０】
プリズム部５２Ａの互いに平行な２面の内の広い側の測定面には、金属膜５７が形成されている。金属膜５７の表面には、タンパクＴａを金属膜５７上に固定化するための、リンカー層５７Ａが形成されている。このリンカー層５７Ａ上にタンパクＴａが固定される。【００３１】
この誘電体ブロック５２は、いわゆるプリズムとして機能する。バイオセンサー１０での測定の際には、プリズム部５２Ａの対向する互いに平行でない２つの側面の内の一方から光ビームが入射され、他方から金属膜５７との界面で全反射された光ビームが出射される。【００３２】
プリズム部５２Ａの両側面には、上側の端辺に沿って保持部材５６と係合される係合凸部５２Ｃが形成されている。また、プリズム部５２Ａの下側には、側端辺に沿って搬送用レール４９Ｃと係合されるフランジ部５２Ｄが形成されている。【００３３】
流路部材５４は、図５に示すように、６個のベース部材５４Ａを備えている。ベース部材５４Ａの各々には４本の円筒部材５４Ｂが立設されている。ベース部材５４Ａは、３個のベース部材５４Ａ毎に、立設された円筒部材５４Ｂのうちの１本の上部が連結部材５４Ｄによって連結されている。流路部材５４は、軟質で弾性変形可能な材料、例えば非晶質ポリオフィレンエラストマーで構成することができる。弾性変形可能な材料で構成することにより、誘電体ブロック５２との密着性を高め、誘電体ブロック５２との間に構成される液体流路５５の密閉性を確保することができる。【００３４】
保持部材５６は、長尺とされ、上面部材５６Ａ及び２枚の側面板５６Ｂが蓋状に構成された形状とされている。側面板５６Ｂには、誘電体ブロック５２の係合凸部５２Ｃと係合される係合孔５６Ｃ、及び、上記光ビームの光路に対応する部分に窓５６Ｄが形成されている。保持部材５６は、係合孔５６Ｃと係合凸部５２Ｃとが係合されて、誘電体ブロック５２に取り付けられる。流路部材５４は、保持部材５６と一体成形されており、保持部材５６と誘電体ブロック５２の間に配置される。上面部材５６Ａには、流路部材５４の円筒部材５４Ｂに対応する位置に、受部５９が形成されている。受部５９は略円筒状とされている。【００３５】
ベース部材５４Ａには、図６及び図７に示すように、底面側に略Ｓ字状の２本の流路溝５４Ｃが形成されている。ベース部材５４Ａは、底面が誘電体ブロック５２の測定面（上面）と密着されることにより、流路溝５４Ｃと誘電体ブロック５２の測定面との間に構成される空間と前記中空部とで、液体流路５５が構成される。１個のベース部材５４Ａには、２本の液体流路５５が構成される。【００３６】
なお、流路部材５４は、不図示の測定スティック押さえ部材によって誘電体ブロック５２に押圧されることにより誘電体ブロック５２に密着させられるので、液体流路５５の密閉性が確保される。【００３７】
また、流路溝５４Ｃの端部の各々は、円筒部材５４Ｂの中空部と１対１に連通されている。これにより、図７に示すように、各液体流路５５の一端には、当該液体流路５５に試料を供給する供給口５３Ａが、他端には、当該液体流路５５から試料を排出させるための排出口５３Ｂが、それぞれ形成される。【００３８】
ここで、１つの流路部材により形成される２本の液体流路５５のうち、１本は測定流路５５Ａとして用いられ、他の１本は参照流路５５Ｒとして用いられる。測定流路５５Ａの金属膜５７上（リンカー層５７Ａ上）にはタンパクＴａが固定され、参照流路５５Ｒの金属膜５７上（リンカー層５７Ａ上）にはタンパクＴａが固定されない状態で測定が行われる。【００３９】
測定流路５５Ａ及び参照流路５５Ｒには、図６に示すように、各々光ビームＬ１、Ｌ２が入射される。【００４０】
光ビームＬ１、Ｌ２は、図７に示すように、ベース部材５４Ａの中心線Ｍ上に配置されるＳ字の屈曲部分に照射される。以下、測定流路５５Ａにおける光ビームＬ１の照射領域を測定領域Ｅ１、参照流路５５Ｒにおける光ビームＬ２の照射領域を参照領域Ｅ２という。参照領域Ｅ２は、タンパクＴａの固定された測定領域Ｅ１から得られるデータを補正するための測定を行う領域である。【００４１】
上面部材５６Ａには、流路部材５４の円筒部材５４Ｂに対応する位置に、受部５９が形成されている。受部５９は略円筒状とされており、上面側が円筒中心に向けて低くなるテーパー状であることが好ましい。【００４２】
図８には、分注ヘッド２０の構成が示されている。同図に示されるように、分注ヘッド２０には、１２本の分注管２０Ａが備えられている。分注管２０Ａは、Ｘ方向と直交する矢印Ｙ方向に沿って１列に配置されている。分注管２０Ａは、隣り合う２本で一対とされ、液体流路５５の供給口５３Ａ及び排出口５３Ｂにそれぞれ１本ずつ対応させて使用される。また、一対の液体流路５５Ａ、５５Ｒには、共通の分注管２０Ａが用いられる。【００４３】
なお、各分注管２０Ａの先端は、ピペットチップＣＰが着脱可能に構成されている。分注管２０Ａに取り付けられたピペットチップＣＰは、必要に応じて交換される。【００４４】
また、分注ヘッド２０は、図１及び図３に示すように、水平駆動機構２２により矢印Ｘ方向に移動可能とされている。水平駆動機構２２は、ボールねじ２２Ａ、モータ２２Ｂ、ガイドレール２２Ｃにより構成されている。ボールねじ２２Ａ及びガイドレール２２Ｃは、Ｘ方向に配置されている。ガイドレール２２Ｃは平行に２本配置され、そのうちの１本はボールねじ２２Ａの下側に所定間隔離れて配置されている。分注ヘッド２０は、モータ２２Ｂの駆動によるボールねじ２２Ａの回転により、ガイドレール２２Ｃに沿ってＸ方向に移動される。このＸ方向移動により、分注ヘッド２０は、ピペットチップセット部４２Ｂ、試料セット部４０Ｂ、バッファ供給部４４Ｂ、冷蔵部４６及び測定部３０に対向する位置に移動可能に構成されている。【００４５】
さらに、図８に示されるように、分注ヘッド２０には、分注ヘッド２０を矢印Ｚ方向に移動させる鉛直駆動機構２４が設けられている。同図に示されるように、鉛直駆動機構２４は、モータ２４Ａ及びＺ方向に配置された駆動軸２４Ｂを含んで構成され、分注ヘッド２０をＺ方向に移動させる。このＺ方向移動により、分注ヘッド２０は、ピペットチップセット部４２Ｂにセットされたピペットチップストッカー４２Ｐ、試料セット部４０Ｂにセットされた試料プレート４０Ｐ、バッファ供給部４４Ｂにセットされたバッファプレート４４Ｐ及び測定部３０にセットされた測定スティック５０にアクセス可能となっている。【００４６】
図９に示されるように、分注ヘッド２０には、吸排駆動部２６が接続されている。吸排駆動部２６は、第１ポンプ２７、第２ポンプ２８を備えている。第１ポンプ２７及び第２ポンプ２８は、前述の一対の分注管２０Ａに各々対応して設けられている。第１ポンプ２７は、シリンジポンプで構成されており、第１シリンダ２７Ａ、第１ピストン２７Ｂ、及び、第１ピストン２７Ｂを駆動させる第１モータ２７Ｃを備えている。第１シリンダ２７Ａは、配管２７Ｈを介して分注ヘッド２０と接続されている。また、第２ポンプ２８も、シリンジポンプで構成されており、第２シリンダ２８Ａ、第２ピストン２８Ｂ、及び、第２ピストン２８Ｂを駆動させる第２モータ２８Ｃを備えている。第２シリンダ２８Ａは、配管２８Ｈを介して分注ヘッド２０と接続されている。【００４７】
なお、第１モータ２７Ｃ及び第２モータ２８Ｃは、後述する制御部７０と電気的に接続されており、制御部７０により駆動が制御される。【００４８】
試料やバッファ液などの液体の供給時には、分注ヘッド２０を、冷蔵部４６、試料セット部４０Ａ、バッファ供給部４４Ｂ上へ移動させ、第１モータ２７Ｃをそれぞれ駆動して一対の分注管２０Ａの一方（計６本）に取り付けられたピペットチップＣＰ内に試料やバッファ液を吸引する。このときの吸引量は、一対の液体流路５５Ａ、５５Ｒに供給するため、液体流路２本分の量である。そして、試料やバッファ液を吸引した６本の分注管２０Ａ側のピペットチップＣＰを、測定スティック５０の測定流路５５Ａ側の供給口５３Ａに挿入すると共に、分注管２０Ａの各対の他方の６本の分注管２０Ａに取り付けられたピペットチップＣＰを測定流路５５Ａの排出口５３Ｂに挿入する。そして、第１モータ２７Ｃと第２モータ２８Ｃとを同時に駆動して、供給口５３Ａ側の分注管２０Ａから半量の液体を吐出すると共に排出口５３Ｂ側の分注管２０Ａで液体を吸入することにより液体の入換えが行われる。続いて、当該一対の分注管２０Ａを参照流路５５Ｒ側の供給口５３Ａ及び排出口５３Ｂに挿入し、同様にして第１モータ２７Ｃと第２モータ２８Ｃとを駆動して、参照流路５５Ｒ内の液体を吸引しながらピペットチップＣＰの残り半量の液体を供給することにより、液体の入換えが行なわれる。【００４９】
図１０には、測定部３０の構成が示されている。同図に示されるように、測定部３０は、光学定盤３２、光出射部３４、受光部３６を含んで構成されている。なお、同図では、測定スティック５０の誘電体ブロック５２と流路部材５４以外の部材は省略されている。【００５０】
光学定盤３２には、Ｙ方向から見て、上部中央の水平平面で構成される定盤レール部３２Ａ、定盤レール部３２Ａから離れる方向に向かって低くなる出射傾斜部３２Ｂ、定盤レール部３２Ａを挟んで出射傾斜部３２Ｂと逆側に配置される受光傾斜部３２Ｃが形成されている。定盤レール部３２Ａには、Ｙ方向に沿って測定スティック５０がセットされる。【００５１】
光学定盤３２の出射傾斜部３２Ｂには、測定スティック５０へ向かって光ビームＬ１、Ｌ２を出射する光出射部３４が設置されている。この光出射部３４には、光源３４Ａ、レンズユニット３４Ｂが備えられている。【００５２】
光源３４Ａからは、発散状態の光ビームＬが射出される。光源３４Ａから射出された光ビームＬは、レンズユニット３４Ｂを介して２本の光ビームＬ１、Ｌ２となる。この２本の光ビームは、それぞれ光学定盤３２上に配置される誘電体ブロック５２の一対の測定領域Ｅ１と参照領域Ｅ２に対応する位置に入射される。なお、光源３４Ａとしては、角度広がりを有する光を射出可能な光源が適用され、発散状態の光ビームＬを射出させる構成とされている。【００５３】
発散状態の光ビームＬ１、Ｌ２は、測定領域Ｅ１及び参照領域Ｅ２において、金属膜５７と誘電体ブロック５２との界面に対して種々の入射角成分を含み、かつ全反射角以上の角度で入射される。【００５４】
このとき、金属膜５７に照射された照射光Ｌ１及び照射光Ｌ２は、金属膜５７に微弱なエネルギー波（エバネッセント波）を生じさせると共に、誘電体ブロック５２に接触する金属膜５７の表面に粗密波（表面プラズモン）を生じさせる。このエバネッセント波及び表面プラズモンの波長が一致すると共鳴して、金属膜５７に照射された照射光Ｌ１及びＬ２の各々に含まれる特定の入射角度の光において反射光が減衰する（表面プラズモン共鳴（ＳＰＲ：Ｓｕｒｆａｃｅ  Ｐｌａｓｍｏｎ  Ｒｅｓｏｎａｎｃｅ））。【００５５】
エバネッセント波は、金属膜５７における物質間の相互作用によって変化する。また、光の屈折率の二乗によって示される誘電率は、このエバネッセント波に影響する。そのため、金属膜５７表面で引き起こされる生理活性物質と検体物質との間の相互作用は、誘電率に差異を生じさせ、これが表面プラズモンに影響し、共鳴角度の変化、すなわち屈折率の変化、として捉えることができる。【００５６】
したがって、金属膜５７表面における生理活性物質と、供給された検体溶液に含まれる検体物質と、との間で相互作用が生じると、金属膜５７表面の誘電率が変わり、屈折率（共鳴の角度）が変化する。このため、金属膜５７上に工程された生理活性物質上に、選択的に異なる検体（検体溶液）を供給することで、屈折率の変化を経時的に測定し、分子間相互作用を解析することができる。【００５７】
そこで、受光傾斜部３２Ｃには、受光部３６が設置されている。受光部３６には、レンズユニット３６Ａ、ＣＣＤ３６Ｂが備えられている。これにより、誘電体ブロック５２と金属膜５７との界面で全反射された照射光Ｌ１及び照射光Ｌ２の各々は、レンズユニット３６Ａを経てＣＣＤ３６Ｂで受光される。金属膜５７に入射される照射光Ｌ１及び照射光Ｌ２は角度広がりを持っているため、受光部３６に入射される光もまた角度広がりを有している。ＣＣＤ３６Ｂでは、受光した光を光電変換することによって得られた光検出信号を、主制御部７１へ出力する。【００５８】
主制御部７１は、信号処理部３８と、制御部７０と、メモリ１７と、を含んで構成されている。信号処理部３８、メモリ１７、上記モータ２２Ｂ、モータ２４Ａ、第１モータ２７Ｃ、及び第２モータ２８Ｃは、制御部７０に信号授受可能に接続されている。制御部７０は、ＣＰＵ、ＲＯＭ、及びＲＡＭを含むマイクロコンピュータで構成されている。メモリ１７には、各種処理ルーチンや各種処理で用いる制御パラメータ等が予め記憶されると共に、各種処理において発生したデータ等が適時記憶される。【００５９】
信号処理部３８は、ＣＣＤ３６Ｂから入力された光検出信号に基づいて、測定領域Ｅ１及び参照領域Ｅ２における屈折率情報を求め、制御部７０へ出力する。【００６０】
なお、測定時において照射光Ｌは、誘電体ブロック５２の一対の測定領域Ｅ１と参照領域Ｅ２と、の各々に入射される。これにより、信号処理部３８には、誘電体ブロック５２の複数の測定領域Ｅ１と参照領域Ｅ２（図４〜図７では６個の測定領域Ｅ１と６個の参照領域Ｅ２）からの光検出信号が入力され、制御部７０には、各々の参照領域Ｅ２及び各々の測定領域Ｅ１における屈折率情報が出力される。【００６１】
信号処理部３８では、入力された各光検出信号を分析することによって、各測定領域Ｅ１及び参照領域Ｅ２における照射光Ｌ１及び照射光Ｌ２各々について前記全反射減衰の生じる入射角（金属膜５７と誘電体ブロック５２との界面で全反射した光の強度が鋭く低下する入射角）としての全反射減衰角θｓｐを求める。【００６２】
そして、求めた全反射減衰角θｓｐから、上記金属膜５７と誘電体ブロック５２との界面で生じた表面プラズモンの波数を求めることによって、各測定領域Ｅ１と、各参照領域Ｅ２の誘電率が求められる。誘電率が求められると、誘電率は屈折率の二乗であることから、測定領域Ｅ１及び参照領域Ｅ２各々における屈折率の屈折率情報が求められる。さらに、測定領域Ｅ１の屈折率情報を、参照領域Ｅ２の屈折率情報によって補正することにより、各測定領域Ｅ１における検定物質の屈折率情報を得る。【００６３】
この屈折率情報が制御部７０に出力されると、制御部７０では、入力された各屈折率情報に基づいて検体溶液注の検体物質と生理活性物質との相互作用（例えば、結合量）を求める。【００６４】
ここで、図１１には、測定部３０にセットされた測定スティック５０の液体流路５５内に液体が満たされ、液置換時に混入された空気が微小な気泡８８となって液体流路５５の内壁に付着した状態が示されている。【００６５】
すなわち、ピペットチップＣＰを液体流路５５の受部５９に挿入する際、ピペットチップＣＰと液体流路内部の液面８６との間に空気が混入する場合がある。空気が混入したまま送液を開始して液体流路５５内の液置換を行うと、液体に混入した空気が液体と一緒に液体流路５５内に押し込まれる。この押し込まれた空気が気泡８８となり、液体流路５５の内壁に付着したり、液体流路５５内で滞留したりする。【００６６】
この気泡８８が液体流路５５の内壁に付着すると、光の屈折率に影響を及ぼして測定結果に誤差が生じる原因となる。【００６７】
そこで、制御部７０では、図１２に示されるように、液体９０を吸引した送液側のピペットチップＣＰを受部５９に挿入して送液を開始する前に、一旦空気を吸引して、ピペットチップＣＰの先端に意図的に空気層９２Ａを作るようにしている。なお、同図では、液体流路５５に満たされた液体８５を、液体９０に置換する処理を実行する場合について示した。【００６８】
これにより、図１３及び図１４に示されるように、液体９０が送液される前に、空気層９２Ａが液体流路５５内を移動することになる。空気層９２Ａは、液体流路５５の内壁に気泡８８が付着している部分を通過する際に、気泡８８とまざりあって１つの空気層９２Ａとなる。このようにして、空気層９２Ａにより気泡８８を回収して、液体流路５５内の気泡８８を除去する。【００６９】
図１５には、液置換が完了したときの状態が示されている。同図に示されるように、液体流路５５内は液体９０で満たされており、液体８５及び空気層９２Ａは吸引側のピペットチップＣＰ内に吸引されている。【００７０】
なお、液置換前にピペットチップＣＰの先端に吸引する空気の量は、１つの空気層９２Ａが、液体流路５５内において送液側の液体９０と吸引側の液体８５を分離させることのできる十分な量であり、かつ、当該空気層９２Ａが液体流路５５内を移動する際にも複数の層や塊に分割することがないように、予め設定しておく。【００７１】
また、空気層が崩れてピペットチップＣＰ内に吸引された液体９０内を移動してしまうと、液体流路５５内において、液体９０と液体８５との間に空気層９２Ａを作ることはできない。したがって、吸引する空気の量は、ピペットチップＣＰの先端部に１つの塊となって留まることができる量である必要があることは言うまでもない。【００７２】
以下に、本実施の形態の作用を説明する。【００７３】
バイオセンサー１０において、検体物質と生理活性物質との相互作用の測定指示が不図示の操作部等を介して入力されると、１本の測定スティック５０が測定部３０へセットされる。【００７４】
この測定スティック５０の測定部３０へのセットとは、制御部７０が、１本の測定スティック５０を測定チップ搬送機構４９により測定チップ収容プレート４８Ｐから測定部３０へ移動してセットするように駆動部４９Ｄを制御することによって行われる。このように測定部３０にセットされることにより、測定スティック５０は、測定チップ搬送機構４９により定盤レール部３２Ａに搬送されて、測定対象とする測定流路５５Ａの測定領域Ｅ１及び参照流路５５Ｒの参照領域Ｅ２各々に、光ビームＬ１、光ビームＬ２が入射される位置に配置される。【００７５】
光出射部３４から１本の誘電体ブロック５２の複数の測定領域Ｅ１と参照領域Ｅ２各々に光ビームＬ１及び光ビームＬ２各々が照射されることにより、信号処理部３８には、複数の測定領域Ｅ１と複数の参照領域Ｅ２各々から強度分布情報が入力される。【００７６】
このとき、制御部７０では、分注ヘッド２０を制御して、測定部３０にセットされた測定スティック５０の液体流路５５内の液を、順次置換する。【００７７】
図１６には、液置換時の制御部７０による分注ヘッド２０の制御手順がフローチャートとして示されている。【００７８】
まず、ステップ１４０では、新たに液体流路５５内に送液する液体をピペットチップＣＰ内に吸引すべく、送液する液体９０の種類に応じて試料プレート４０Ｐ又はバッファプレート４４Ｐの配設位置に分注ヘッド２０を移動させる。すなわち、モータ２２Ｂを駆動して分注ヘッド２０をＸ方向移動させると共に、モータ２４Ａを駆動して分注ヘッド２０をＺ方向移動させ、各プレートＰにセットされた液体９０を吸引可能な位置まで移動させる。【００７９】
次のステップ１４２では、第１モータ２７Ｃを駆動して試料プレート４０Ｐ又はバッファプレート４４Ｐにセットされている液体９０を送液側のピペットチップＣＰに吸引し、その後にステップ１４４に移行する。【００８０】
ステップ１４４では、測定スティック５０の上方に分注ヘッド２０を移動させる。その後にステップ１４６に移行して、第１モータ２７Ｃを駆動して、送液側のピペットチップＣＰ内に所定量の空気を吸引し、ピペットチップＣＰの先端に空気層９２Ａを作る。【００８１】
なお、ステップ１４６でピペットチップＣＰの先端に吸引する空気の量は、１つの空気層９２Ａが、液体流路５５内において送液側の液体９０と吸引側の液体８５を分離させることのできる十分な量であり、かつ、当該空気層９２Ａが液体流路５５内を移動する際にも複数の層や塊に分割することがないように、予め設定しておく。【００８２】
また、空気層が崩れてピペットチップＣＰ内に吸引された液体９０内を移動してしまうと、液体流路５５内において、液体９０と液体８５との間に空気層９２Ａを作ることはできない。したがって、吸引する空気の量は、ピペットチップＣＰの先端部に１つの塊となって留まることができる量である必要があることは言うまでもない。【００８３】
次のステップ１４８では、測定スティック５０の受部５９にピペットチップＣＰの開口部８０を挿入する。その後にステップ１５０に移行して、第１モータ２７Ｃの駆動による送液及び第２モータ２８Ｃの駆動による吸引を実行して、液体流路５５内の液体８５の置換を行なう。【００８４】
液体流路５５内を空気層９２Ａが通過することにより、液体流路５５の内壁は順次空気にさらされることになる。内壁に付着した気泡８８は、空気層９２Ａの空気にさらされると空気層９２Ａの空気とまざりあい、気泡８８は空気層９２Ａに吸収される。【００８５】
なお、吸引及び送液の速度は、液置換率を考慮して設定することが好ましく、送液開始から送液完了まで、一定の速度で行なうことが好ましい。【００８６】
次のステップ１５２では、分注ヘッド２０を所定の待機位置まで移動させ、その後に本液置換処理を終了する。【００８７】
なお、液置換処理の終了後は、必要に応じて、ピペットチップＣＰの交換や、吸引した液体の廃棄等の処理が適宜実行される。【００８８】
以上詳細に説明したように、本実施の形態では、液体を供給する受部（供給口）５９と液体を排出する受部（排出口）５９とをつなぐ液体流路５５の、供給口としての受部５９に挿入される開口部８０を有して液体流路５５に供給する液体９０が貯留されるピペットチップＣＰを、開口部８０が供給口としての受部５９に挿入されるように制御し、開口部８０が供給口としての受部５９に挿入される前に、開口部８０から空気を吸引して開口部８０に空気層を形成するようにピペットチップの液体及び気体の吸引、吐出を行なうように制御する。そのため、供給管の開口部に空気層が形成された状態で供給口に開口部８０が挿入されることになり、液体が送液される前に空気層が液体流路に送り込まれる。これにより、液体流路の内壁に付着した空気を除去することができる。【００８９】
なお、上記実施の形態において、液体流路５５に界面活性剤を送液することにより、液体流路５５の内壁を親水性にするようにしてもよい。これにより、気泡８８が内壁に密着することが防止できる、空気層９２Ａによる気泡８８の回収率が向上する。【００９０】
また、上記実施の形態では、液置換処理において必ず液体８５と液体９０との間に空気層９２Ａを作る形態について説明したが、本発明はこれに限定されるものではない。【００９１】
すなわち、例えば、通常の液置換処理では空気層９２Ａを作らず、液置換処理を所定回数実行する毎に空気層９２Ａを作って液置換を実行するようにしてもよい。【００９２】
また、特定の処理を行う場合には、空気層９２Ａを作らないようにしてもよい。【００９３】
例えば、タンパクＴａを金属膜５７上に固定化させる際には、空気層９２Ａを作らないようにすることが好ましい。これは、タンパクを空気にさらしすぎると、タンパクが活性を失ってしまうためである。【００９４】
また、流路５５内の液体を撹拌する際には、液体流路５５内に空気が入らないようにして吸引と送液を交互に繰り返して撹拌することが好ましい。撹拌する際に空気が液体流路５５に混入したままであると、混入した空気が微細な多数の気泡となって液体中に散乱するように存在した状態となってしまうので、撹拌終了後の液体流路５５の内壁に多数の気泡が付着する。【００９５】
なお、本実施の形態に係るバイオセンサー１０の構成や処理の流れ等は一例であり、本発明の主旨を逸脱しない範囲で適宜変更可能であることは言うまでもない。
【図１】
2008123022.tif 000003
【図２】
2008123022.tif 000004
【図３】
2008123022.tif 000005
【図４】
2008123022.tif 000006
【図５】
2008123022.tif 000007
【図６】
2008123022.tif 000008
【図７】
2008123022.tif 000009
【図８】
2008123022.tif 000010
【図９】
2008123022.tif 000011
【図１０】
2008123022.tif 000012
【図１１】
2008123022.tif 000013
【図１２】
2008123022.tif 000014
【図１３】
2008123022.tif 000015
【図１４】
2008123022.tif 000016
【図１５】
2008123022.tif 000017
【図１６】
2008123022.tif 000018
【国際調査報告】
2008123022.tif 000019
2008123022.tif 000020
2008123022.tif 000021
2008123022.tif 000022
2008123022.tif 000023
2008123022.tif 000024